(57)【要約】【課題】遊技機としてＣＲ機などを使用する場合、遊技媒体数に端数を有しても、端数分も利用することができる遊技媒体排出機、遊技媒体排出方法および遊技媒体排出システムを提供することを目的とする。【解決手段】パチンコ機２に隣接して設置され、パチンコ玉を排出可能なノズル３ｍを備えた台間機３は、パチンコ機２から所定数のパチンコ玉を排出させるための所定数排出要求情報、および獲得した遊技媒体を再び遊技に用いる再プレーを行うための再プレー用排出要求情報のいずれの情報であるか情報種別を判定する。台間機３は、情報種別が、所定数排出要求情報である場合には、パチンコ機２内からパチンコ玉を排出させるようパチンコ玉の排出経路を切り替え、情報種別が、再プレー用排出要求情報である場合には、ノズル３ｍからパチンコ玉を排出させるようパチンコ玉の排出経路を切り替える。【選択図】図３
2008029882.tif 000002
【特許請求の範囲】
【請求項１】
遊技機に隣接して設置され、遊技媒体を排出可能な遊技媒体排出部と、
前記遊技機から所定数の遊技媒体を排出させるための所定数排出要求情報、および獲得した遊技媒体を再び遊技に用いる再プレーを行うための再プレー用排出要求情報のいずれの情報であるか情報種別を判定する排出要求情報種別判定手段と、
前記情報種別が、前記所定数排出要求情報である場合には、前記遊技機内から遊技媒体を排出させるよう遊技媒体の排出経路を切り替え、前記情報種別が、前記再プレー用排出要求情報である場合には、前記遊技媒体排出部から遊技媒体を排出させるよう遊技媒体の排出経路を切り替える排出経路切替手段と
を具備することを特徴とする遊技媒体排出機。
【請求項２】
少なくとも、獲得した遊技媒体を再び遊技する再プレーに用いる再プレー用遊技媒体を排出する遊技媒体排出機における遊技媒体排出方法であって、
隣接して設置された遊技機から所定数の遊技媒体を排出させるための所定数排出要求情報、および前記再プレーを行うための再プレー用排出要求情報のいずれの情報であるか情報種別を排出要求情報種別判定手段が判定する排出要求情報種別判定ステップと、
前記情報種別が、前記所定数排出要求情報である場合には、前記遊技機内から遊技媒体を排出させるよう排出経路切替手段が遊技媒体の排出経路を切り替え、前記情報種別が、前記再プレー用排出要求情報である場合には、前記遊技機に隣接して設置された遊技媒体排出部から遊技媒体を排出させるよう前記排出経路切替手段が遊技媒体の排出経路を切り替える排出経路切替ステップと
を具備することを特徴とする遊技媒体排出方法。
【請求項３】
遊技機に隣接して設置され、遊技媒体を排出可能な遊技媒体排出部を有し、前記遊技機に所定数の遊技媒体を排出する遊技媒体排出機と、管理装置とを備え、前記遊技媒体排出機と前記管理装置とがそれぞれ通信可能に接続された遊技媒体排出システムであって、
前記遊技媒体排出機が、
前記遊技機から所定数の遊技媒体を排出させるための所定数排出要求情報、および獲得した遊技媒体を再び遊技に用いる再プレーを行うための再プレー用排出要求情報のいずれの情報であるか情報種別を判定する排出要求情報種別判定手段と、
前記情報種別が、前記所定数排出要求情報である場合には、前記遊技機内から遊技媒体を排出させるよう遊技媒体の排出経路を切り替え、前記情報種別が、前記再プレー用排出要求情報である場合には、前記遊技媒体排出部から遊技媒体を排出させるよう遊技媒体の排出経路を切り替える排出経路切替手段と
を具備することを特徴とする遊技媒体排出システム。
【発明の詳細な説明】
【技術分野】
【０００１】
本発明は、例えば、パチンコ機、スロットマシーン、ゲーム機などの遊技機を備える遊技ホールで使用され、パチンコ玉やメダルなどの遊技媒体における端玉や端メダルの端数の遊技媒体の排出が可能な遊技媒体排出機、遊技媒体排出方法および遊技媒体排出システムに関する。
【背景技術】
【０００２】
パチンコホールに設置されている遊技機において、ＣＲ機は、台間機からの１回の排出し指令により、設定数（１００円で２５玉）のパチンコ玉の排出のみ可能であった（例えば、特許文献１参照。）。
【０００３】
また、貯玉された貯玉数のうち所定の金額（例えば１万円）に相当する玉数を再プレー用貯玉数とし、その再プレー用貯玉数分の貯玉の排出によって遊技をする再プレーを行う際、再プレー用貯玉数から再プレー手数料を差し引いた残りのパチンコ玉を排出することがある。この再プレーシステムにおいて、例えば、獲得した貯玉数（景品遊技媒体数）を排出する場合、その排出する貯玉数に、再プレー手数料として予め設定された割合を乗じた数を、その排出数より減じて排出する遊技システムが提案されている（例えば、特許文献２参照。）。
【０００４】
また、貸玉をする際、消費税に対応する分の遊技媒体数を差し引いて遊技媒体数を貸し出すことがある。
【特許文献１】特許第３４９７６５６号公報
【特許文献２】特許第２７５８２７２号公報
【発明の開示】
【発明が解決しようとする課題】
【０００５】
上記したように、ＣＲ機は、設定数（１００円で２５玉）のパチンコ玉の排出のみ可能であるため、例えば、ＣＲ機から設定数より少ない数のパチンコ玉を排出することはできない。また、再プレー手数料や消費税に対応する遊技媒体数を減じて排出される遊技媒体において、排出する遊技媒体数が上記した設定数よりも小さい端数となることがあり、ＣＲ機においてその分を排出することができないという問題があった。また、端数分を無駄にしないためには、遊技などを通じて設定数を満たすようにしなければならず、遊技客にとって負担であり、さらに、遊技客が端数の遊技媒体が残っていることを忘れ、無駄にすることもあり、遊技客にとって不利益となることが多かった。
【０００６】
そこで、本発明は、上記した課題を解決するためになされたものであり、遊技機としてＣＲ機などを使用する場合、貯玉再プレーや度数消費による貸玉プレーにおいて、遊技媒体数に端数を有しても、端数分も利用することができる遊技媒体排出機、遊技媒体排出方法および遊技媒体排出システムを提供することを目的とする。
【課題を解決するための手段】
【０００７】
上記目的を達成するために、本発明の遊技媒体排出機は、遊技機に隣接して設置され、遊技媒体を排出可能な遊技媒体排出部と、前記遊技機から所定数の遊技媒体を排出させるための所定数排出要求情報、および獲得した遊技媒体を再び遊技に用いる再プレーを行うための再プレー用排出要求情報のいずれの情報であるか情報種別を判定する排出要求情報種別判定手段と、前記情報種別が、前記所定数排出要求情報である場合には、前記遊技機内から遊技媒体を排出させるよう遊技媒体の排出経路を切り替え、前記情報種別が、前記再プレー用排出要求情報である場合には、前記遊技媒体排出部から遊技媒体を排出させるよう遊技媒体の排出経路を切り替える排出経路切替手段とを具備することを特徴とする。
【０００８】
この遊技媒体排出機によれば、排出要求情報種別判定手段によって、遊技機から所定数の遊技媒体を排出させるための所定数排出要求情報、および獲得した遊技媒体を再び遊技に用いる再プレーを行うための再プレー用排出要求情報のいずれの情報であるか情報種別を判定し、その判定に基づいて、排出経路切替手段が、遊技媒体を遊技機内から排出する場合と、遊技媒体排出部から排出させる場合とに排出経路を切り替えることができる。例えば、通常の貸玉を行う場合には、遊技機から排出して順法し、所定数未満を排出する場合が多い、例えば再プレー手数料分を減算して排出する場合などには、遊技媒体排出部から排出することができる。
【０００９】
本発明の遊技媒体排出方法は、少なくとも、獲得した遊技媒体を再び遊技する再プレーに用いる再プレー用遊技媒体を排出する遊技媒体排出機における遊技媒体排出方法であって、隣接して設置された遊技機から所定数の遊技媒体を排出させるための所定数排出要求情報、および前記再プレーを行うための再プレー用排出要求情報のいずれの情報であるか情報種別を排出要求情報種別判定手段が判定する排出要求情報種別判定ステップと、前記情報種別が、前記所定数排出要求情報である場合には、前記遊技機内から遊技媒体を排出させるよう排出経路切替手段が遊技媒体の排出経路を切り替え、前記情報種別が、前記再プレー用排出要求情報である場合には、前記遊技機に隣接して設置された遊技媒体排出部から遊技媒体を排出させるよう前記排出経路切替手段が遊技媒体の排出経路を切り替える排出経路切替ステップとを具備することを特徴とする。
【００１０】
この遊技媒体排出方法によれば、排出要求情報種別判定ステップにおいて排出要求情報種別判定手段が、遊技機から所定数の遊技媒体を排出させるための所定数排出要求情報、および獲得した遊技媒体を再び遊技に用いる再プレーを行うための再プレー用排出要求情報のいずれの情報であるか情報種別を判定し、その判定に基づいて、排出経路切替ステップにおいて排出経路切替手段が、遊技媒体を遊技機内から排出する場合と、遊技媒体排出部から排出させる場合とに排出経路を切り替えることができる。例えば、通常の貸玉を行う場合には、遊技機から排出して順法し、所定数未満を排出する場合が多い、例えば再プレー手数料分を減算して排出する場合などには、遊技媒体排出部から排出することができる。
【００１１】
本発明の遊技媒体排出システムは、遊技機に隣接して設置され、遊技媒体を排出可能な遊技媒体排出部を有し、前記遊技機に所定数の遊技媒体を排出する遊技媒体排出機と、管理装置とを備え、前記遊技媒体排出機と前記管理装置とがそれぞれ通信可能に接続された遊技媒体排出システムであって、前記遊技媒体排出機が、前記遊技機から所定数の遊技媒体を排出させるための所定数排出要求情報、および獲得した遊技媒体を再び遊技に用いる再プレーを行うための再プレー用排出要求情報のいずれの情報であるか情報種別を判定する排出要求情報種別判定手段と、前記情報種別が、前記所定数排出要求情報である場合には、前記遊技機内から遊技媒体を排出させるよう遊技媒体の排出経路を切り替え、前記情報種別が、前記再プレー用排出要求情報である場合には、前記遊技媒体排出部から遊技媒体を排出させるよう遊技媒体の排出経路を切り替える排出経路切替手段とを具備することを特徴とする。
【００１２】
この遊技媒体排出システムによれば、遊技媒体排出機と管理装置とがそれぞれ通信可能に接続され、排出要求情報種別判定手段によって、遊技機から所定数の遊技媒体を排出させるための所定数排出要求情報、および獲得した遊技媒体を再び遊技に用いる再プレーを行うための再プレー用排出要求情報のいずれの情報であるか情報種別を判定し、その判定に基づいて、排出経路切替手段が、遊技媒体を遊技機内から排出する場合と、遊技媒体排出部から排出させる場合とに排出経路を切り替えることができる。例えば、通常の貸玉を行う場合には、遊技機から排出して順法し、所定数未満を排出する場合が多い、例えば再プレー手数料分を減算して排出する場合などには、遊技媒体排出部から排出することができる。
【００１３】
また、遊技媒体排出機における種々のデータなどを管理装置に記憶させ、必要に応じて情報を管理装置から取り出すことなどが可能となる。
【発明の効果】
【００１４】
本発明の遊技媒体排出機、遊技媒体排出方法および遊技媒体排出システムによれば、遊技機としてＣＲ機などを使用する場合、貯玉再プレーや度数消費による貸玉プレーにおいて、遊技媒体数に端数を有しても、端数分も利用することができる。
【発明を実施するための最良の形態】
【００１５】
以下、本発明に係る遊技媒体排出機を備える遊技媒体排出システム１の一実施の形態を図面を参照して説明する。
【００１６】
図１に、本発明の一実施の形態の遊技媒体排出システム１の概要図を示す。
【００１７】
この一実施の形態の遊技媒体排出システム１では、複数のパチンコ機２および複数のパチンコ機２のそれぞれに接続された遊技媒体排出機として機能する台間機３、４、複数のスロットマシーン５のそれぞれに接続された遊技媒体排出機として機能する台間機６が島コンピュータ７を介してネットワーク８に接続されている。
【００１８】
また、ネットワーク８には、例えば、受け入れた会員用ＩＣカードまたは非会員用ＩＣカードの度数（有価価値）残高を現金で返却する精算機１０、受け入れた会員用ＩＣカードや貯玉数の情報が記録されたレシートから貯玉数を参照し、貯玉数とその貯玉数により交換される景品種別と数量の表示を行い、景品払出機１８が併設される場合、景品払出機１８へ払い出す景品の種別と数量を指示する景品管理機（ＰＯＳ）１１などが接続されている。また、遊技媒体であるパチンコ玉やメダルの数量を計数して貯玉数とする計数機９がネットワーク８に接続される。
【００１９】
さらに、会員用ＩＣカードに記憶されたＩＤに基づいて管理装置１３に記憶された貯玉数があれば再プレー用貯玉数の情報を書き換える旨の要求信号を、ネットワーク８を介して管理装置１３に送信し、再プレーを行える状態にする再プレー受付機１２、受け入れた紙幣額に対して購入度数ボタンで選択された金額に対応する度数を、会員用ＩＣカードに更新したり、その金額に対応する度数が記憶された非会員用ＩＣカードの発行を行う発行機２０、各遊技機の上部に取り付けられ、各遊技機における、例えば、スランプグラフ、スタート回数、大当たり回数などの情報を表示するデータ表示機２１、各遊技機の、例えば、スランプグラフ、スタート回数、大当たり回数などの情報を検索可能であり、その検索情報を表示部に表示して遊技者に提供するデータ公開機２２などが接続されている。
【００２０】
これらの機器からの情報は、ネットワーク８を介して管理装置１３に出力され、さらに、プロトコルコンバータ１４、モデム１５を介してカードセンタ１６に送信される。なお、モデム１５からカードセンタ１６への情報の通信は、一般通信回線を介して行われる。
【００２１】
管理装置１３は、例えば、管理装置１３の情報を参照する機能を含んだパーソナルコンピュータ１７などとも接続されている。また、管理装置１３からの情報は、ネットワーク８を介して各機器に出力される。なお、管理装置１３は、１つまたは複数の管理装置で構成することができる。複数の管理装置の場合として、度数などの有価価値情報を処理するカードシステム用管理装置、遊技機の稼働情報に基づいて、遊技機の釘やスロットマシンの出メダル率を変更するための設定を調整するために集計するホールコンピュータ、景品の在庫数や出庫数を管理するための景品管理用管理装置、貯玉数などの会員管理用管理装置などが例示でき、これら管理装置をネットワークにより接続して相互にデータ通信させることで管理装置１３を構成することができる。
【００２２】
以下に、本発明に係る遊技媒体排出機として機能する台間機３、４、６、この台間機３、４、６と通信可能に接続され、遊技媒体排出システム１を構成する管理装置１３、および台間機３、４、６において使用される記憶媒体のそれぞれについて説明する。
【００２３】
（会員用ＩＣカード３０および非会員用ＩＣカード３１）
図２（ａ）に会員の遊技者が使用するカード形状記憶媒体である会員用ＩＣカード３０の斜視図、図２（ｂ）に非会員の遊技者が使用するカード形状記憶媒体である非会員用ＩＣカード３１の斜視図を示す。
【００２４】
ここで、会員の遊技者とは、住所、氏名、年齢、性別、好きな台、連絡先、暗証番号などの属性情報が会員の遊技者を互いに識別するＩＤに基づいて管理装置に登録され、会員用ＩＣカード３０を有する遊技者をいう。また、非会員の遊技者とは、会員登録されていない一般の遊技者をいう。
【００２５】
図２（ａ）、（ｂ）に示すように、会員用ＩＣカード３０および非会員用ＩＣカード３１は、従来から遊技システムで使用されていたＩＣチップを有する記憶媒体であり、カード形状を有している。非会員用ＩＣカード３１は、例えば、会員用ＩＣカード３０よりもカードの縦および横の長さが短く、さらに、厚さが薄く構成されている。
【００２６】
これらの会員用ＩＣカード３０や非会員用ＩＣカード３１は、ＩＣチップと、そのＩＣチップを取り巻くアンテナ部とを有する非接触型の記憶媒体であり、アンテナ部を介してＩＣチップに情報の読み書きをすることができる。
【００２７】
会員用ＩＣカード３０または非会員用ＩＣカード３１を用いた管理システムにおいては、それぞれについて、次に示した管理システムの内のいずれか１つを採用することができる。
【００２８】
会員用ＩＣカード３０は、（１）ＩＤだけの記録情報を有し、その他の情報は管理装置１３において管理されるシステム、または、（２）ＩＤ以外に度数などの有価情報などの情報を有し、さらに、その情報は管理装置１３においても管理されるシステムを採用することができる。
【００２９】
ここで、会員用ＩＣカード３０を用いた場合の情報とは、ＩＤ、度数、貸玉、アウト（発射玉）、セーフ（遊技機への供給玉、つまり遊技の上皿への供給玉：遊技者の獲得玉）、勝敗（セーフからアウトを減じたもの）、入金、追加入金、貸玉数、貯玉数、再プレー用貯玉数、再プレー手数料、ポイント、遊技台種別などの情報、これらの情報を履歴情報、日毎情報、週毎情報とした情報、住所、氏名、年齢、性別、好きな台、連絡先、暗証番号などの会員情報などをいう。また、これらに限るものではなく、遊技管理を行う上で必要な情報であれば管理することができる。さらに、これらの情報は、会員用ＩＣカード３０を用いた場合の会員として処理される情報である。
【００３０】
また、上記ポイントには、来店ポイント（台間機に会員用ＩＣカードを差し込むと付与されるポイント）、貸玉ポイント（貸し玉数に応じて付与されるポイント）、勝敗ポイント（アウト数からセーフ数の差に応じて、負けた客に付与されるポイント）、稼動ポイント（アウト数に応じて付与されるポイント）などがある。また、会員用ＩＣカード３０を用いた場合の管理装置１３によって管理される情報は、これらに限るものではなく、遊技管理を行う上で必要な情報であれば管理することができる。
【００３１】
非会員用ＩＣカード３１は、（３）ＩＤだけの記録情報を有し、その他の情報は管理装置１３において管理されるシステム、（４）度数などの有価情報などの情報を有し、管理装置１３においてはその情報を管理しないシステム、（５）ＩＤ以外に度数などの有価情報などの情報を有し、さらに、その情報は管理装置１３においても管理されるシステムを採用することができる。（４）は、管理装置１３において情報の管理をする必要がある会員用ＩＣカード３０には採用されない。
【００３２】
ここで、非会員用ＩＣカード３１を用いた場合の情報とは、度数、貸玉、入金、追加入金、貸玉数などの情報、これらの情報を所定の期間に限って管理する情報などをいう。これらの情報は、非会員用ＩＣカード３１を用いた場合の非会員として処理される情報である。また、これらの情報には、アウト（発射玉）、セーフ（遊技機への供給玉、つまり遊技の上皿への供給玉：遊技者の獲得玉）、勝敗（セーフからアウトを減じたもの）、貯玉数、再プレー用貯玉数、再プレー手数料、ポイント、遊技台種別などが含まれない点で会員用ＩＣカード３０を用いた場合の会員として処理される情報と異なる。また、非会員用ＩＣカード３１を用いた場合の管理装置１３によって管理されている情報は、これらに限るものではなく、遊技管理を行う上で必要な情報であれば管理することができる。
【００３３】
ここで、会員用と同様に非会員用にもＩＣカードを用いた例を示したが、非会員用のＩＣチップを有する記憶媒体として、コイン形状のＩＣコインを用いることもできる。この場合には、台間機３、４、６には、このＩＣコインを受け入れるための受入部が構成される。
【００３４】
なお、本発明の一実施の形態の遊技媒体排出システム１において、上述した（１）会員用ＩＣカード３０は、ＩＤだけの記録情報を有し、その他の情報は管理装置１３において管理される場合について説明するが、勿論、上述した他の管理システム（２）も採用することができる。また、遊技媒体排出システム１において、上述した（３）非会員用ＩＣカード３１は、ＩＤだけの記録情報を有し、その他の情報は管理装置１３において管理される場合について説明するが、勿論、上述した他の管理システム（４）、（５）も採用することができる。
【００３５】
（台間機３、４、６）
次に、消費税徴収型遊技媒体排出機として機能する台間機３、４、６について、図３〜図７を参照して説明する。
【００３６】
ここで、図３〜図５には、台間機３、４、６の平面図、図６には、台間機３の表示部３ｅの一部拡大正面図を示す。また、図７には、台間機３、４、６の内部構成図を示す。
【００３７】
図３〜図５には、３種類の台間機３、４、６を正面から見た図が示されており、図３に示した台間機３（ユニット）および図４に示した台間機４（サンド）は、パチンコ用であり、図５に示した台間機６（台間メダル貸し機）は、スロットマシン用である。
【００３８】
台間機３（ユニット）は、パチンコ機２と情報通信ができるので、パチンコ機２の貸玉ボタンが押されると、パチンコ機２内部からパチンコ機２の上皿へ直接パチンコ玉を供給することができる。さらに、台間機３（ユニット）は、上記したように、パチンコ機２内部からパチンコ機２の上皿へ直接パチンコ玉を供給することができるが、パチンコ機２内部から供給されるパチンコ玉数は設定値（例えば１００円で２５玉）でるため、ここでは、例えば、設定値よりも小さい端数のパチンコ玉でも供給可能なように、台間機３（ユニット）には、パチンコ玉をパチンコ機２の上皿へ供給するノズル３ｍが設けられている。一方、台間機４（サンド）は、パチンコ機２と情報通信ができないので、パチンコ玉は、サンドのノズル４ｍよりパチンコ機２の上皿へ供給される。
【００３９】
また、台間機６（台間メダル貸し機）は、台間機４（サンド）と同様に、遊技機と情報通信ができないので、メダルは、台間機６（台間メダル貸し機）のメダル払出口に供給され、遊技者によってスロットマシーン５に移動される。なお、台間機６（台間メダル貸し機）のメダル払出口にノズルを取り付け、自動的にメダルがスロットマシーン５のメダル払出口に供給されるようにしてもよい。
【００４０】
また、各台間機３、４、６には、カード挿入口３ａ、４ａ、６ａ、貸玉ボタン３ｂ、４ｂ（遊技機に貸玉ボタンを有しているので台間機３（ユニット）にはない場合もある。）、再プレー用排出ボタン３ｃ、４ｃ、貸メダルボタン６ｂ、再プレー用貸メダルボタン６ｃ、返却ボタン３ｄ、４ｄ、６ｄ、表示部３ｅ、４ｅ、６ｅ、状態表示ランプ３ｆ、４ｆ、６ｆ、カード回収部３ｇ、４ｇ、６ｇ、リモコン受光部３ｈ、４ｈ、６ｈ、カード種別表示部３ｉ、４ｉ、６ｉ、紙幣挿入口３ｊ、４ｊ、６ｊ、メダル払出口６ｋなどが設けられている。
【００４１】
また、図７に示すように、台間機３、４、６内には、制御部３５、カード処理機２００、電源回路３６、貯留機構付き紙幣識別装置（ビルバリ）３７などが設置されている。
【００４２】
カード処理機２００は、カード挿入口３ａ、４ａ、６ａから挿入された会員用ＩＣカード３０または非会員用ＩＣカード３１からＩＤなどの情報を読み取るものであり、例えば、リーダライタなどで構成される。また、カード処理機２００は、カード処理機２００内に設けられた度数が０となった非会員用カードを貯留するカード貯留部から非会員用カードを取り出し、例えば、ＩＤなどを記録してカード挿入口３ａ、４ａ、６ａから再発行することもできる。
【００４３】
ここで、１枚の会員用ＩＣカード３０または非会員用ＩＣカード３１がカード挿入口３ａ、４ａ、６ａから挿入されると、例えば、ソレノイドなどの機械的手段によって、カード挿入口３ａ、４ａ、６ａが封鎖されるので、他の会員用ＩＣカード３０または非会員用ＩＣカード３１を挿入することはできなくなる。これによって、複数の会員用ＩＣカード３０または非会員用ＩＣカード３１がカード挿入口３ａ、４ａ、６ａに挿入されることで生じるカード詰りなどを防止することができる。また、ソレノイドなどの機械的手段を用いずに、他の方法でカード詰りなどを防止してもよい。
【００４４】
貸玉ボタン３ｂ、４ｂは、遊技者がパチンコ玉の貸し出しを要求するときに、押されるボタンである。例えば、貸玉ボタン３ｂ、４ｂが１回押されると５００円分のパチンコ玉が貸し出しされる。なお、パチンコ玉の貸し出しは、標準的には５００円単位で行われ、１００円分（２５玉）づつ５回に分けて貸し出される。また、消費税を貸玉から徴収する場合には、例えば、１００円分づつ５回に分けて貸し出されるうちの１回において、５００円に相当する消費税に対応するパチンコ玉を減じて、貸し出しを行ってもよい。この場合、例えば、消費税率を１０％とすると、５００円分の１２５玉の１０％に相当する１２.５玉を減じて、１１２玉または１１３玉が貸し出される。
【００４５】
貸メダルボタン６ｂは、遊技者がメダルの貸し出しを要求するときに押されるボタンである。例えば、貸メダルボタン６ｂが１回押されると１０００円分のメダルが貸し出しされる。なお、メダルの貸し出しは、１０００円単位で行われる。また、消費税を貸メダルから徴収する場合には、例えば、１０００円に相当する消費税に対応するメダルを減じて、貸し出しを行ってもよい。この場合、例えば、消費税率を１０％とすると、１０００円分の５０メダルの１０％に相当する５メダルを減じて、４５メダルが貸し出される。
【００４６】
再プレー用排出ボタン３ｃ、４ｃおよび再プレー用排出メダルボタン６ｃは、再プレー受付機１２において再プレー手続が行われた会員用ＩＣカード使用時にのみ利用され、再プレー用に利用することができるパチンコ玉またはメダルを排出するときに押される。ここで、再プレーとは、計数機９において計数され貯玉された貯玉数のうち所定の金額（例えば１万円）に相当する玉数を再プレー用貯玉数とし、その再プレー用貯玉数分の遊技媒体の排出によって、遊技をすることをいう。
【００４７】
また、再プレー受付機１２は、会員用ＩＣカード３０に記憶されたＩＤと共に、管理装置１３の再プレーＦＬＧ、貯玉数および再プレー用貯玉数の情報を書き換えるための要求信号を、ネットワーク８を介して管理装置１３に送信し、再プレーを行える状態にするものである。再プレーＦＬＧは、管理装置１３に書き込まれている情報で、再プレーを可能にしたり、不可能にしたりするものであり、例えば、１が書き込まれていれば再プレー可能、０が書き込まれていれば再プレー不可能になる。
【００４８】
返却ボタン３ｄ、４ｄ、６ｄは、カード挿入口３ａ、４ａ、６ａから挿入された会員用ＩＣカード３０または非会員用ＩＣカード３１を排出させるための操作ボタンで、特に、遊技終了時などに押されるものである。
【００４９】
表示部３ｅ、４ｅ、６ｅは、例えば、実際に利用可能な度数残高などを表示するものである。また、表示部３ｅ、４ｅ、６ｅにおける表示は、複数の表示情報を同時に行ったり、また、交互に行うことなどができる。これによって、度数を確認でき、入金のタイミングを図ることができ、実際に利用可能な度数残高を知ることができる。また、表示部３ｅ、４ｅ、６ｅには、度数以外の情報を表示してもよい。例えば、図６に示した台間機３の表示部３ｅの一部拡大正面図に示されるように、「１０００円のみ入金可」、「会員」、「再プレー」、「○○万○○○．○」などの表示がなされる。
【００５０】
状態表示ランプ３ｆ、４ｆ、６ｆは、台間機３、４、６の状態を視覚的に識別するためのもので、例えば、エラー発生時は赤色点滅、正常動作時には緑色点灯する。電源がＯＦＦ状態とされ、オフライン動作中は消灯される。
【００５１】
カード回収部３ｇ、４ｇ、６ｇは、カード処理機２００の非会員用カードを貯留するカード貯留部において、非会員用カードの貯留限度量に達した場合に、非会員用カードを回収するものである。カード回収部３ｇ、４ｇ、６ｇに回収された非会員用カードは、従業員などによって、例えば、営業終了後などに回収される。
【００５２】
リモコン受光部３ｈ、４ｈ、６ｈは、遊技ホールの従業員が使用するリモコンを受光する部分である。
【００５３】
カード種別表示部３ｉ、４ｉ、６ｉは、例えば、緑点灯、赤点灯、青点灯の３種類の点灯が可能である。緑点灯では、キャッシュオン、すなわち直接紙幣が使用されカードが挿入されていないことを示し、赤点灯では、非会員用ＩＣカード３１が使用されていることを示し、青点灯では、会員用ＩＣカード３０が使用されていることを示す。
【００５４】
制御部３５は、台間機３、４、６内の各構成機器の制御、台間機３、４、６以外の、例えば、島コンピュータ７などとの情報通信を行うものであり、インターフェース回路３５ａ、ＣＰＵ３５ｂ、ＲＯＭ３５ｃ、ＲＡＭ３５ｄから主に構成される。
【００５５】
電源回路は、台間機３、４、６内の各構成機器を駆動するための電力を各構成機器に供給するものである。
【００５６】
貯留機構付き紙幣識別装置（ビルバリ）３７は、紙幣挿入口３ｊ、４ｊ、６ｊから挿入される４種類の紙幣に対応できるコンパクトサイズの紙幣識別機であり、台間機３、４、６内に搭載され、台間機３、４、６および島コンピュータ７と情報通信ができるように接続されている。また、ここでは、貯留機構付き紙幣識別装置（ビルバリ）３７は、台間機３、４、６内に搭載された構成が示されているが、例えば、２台の台間機３、４、６に対し１台の割合で、台間機３、４、６の上部の固定されたランプ板部に、貯留機構付き紙幣識別装置（ビルバリ）３７を設置してもよい。この場合、貯留機構付き紙幣識別装置３７は、２台のパチンコ機２またはスロットマシーン５に対して１台の割合で設けられているため、貯留機構付き紙幣識別装置３７の紙幣挿入口１９ａに入金されたときには、２台のパチンコ機２またはスロットマシーン５の内どちらのパチンコ機２またはスロットマシーン５への入金かを判定する必要がある。そこで、貯留機構付き紙幣識別装置３７に２個の遊技機指定ボタンを設け、入金された側の遊技機指定ボタンを押すことによって、入金された側のパチンコ機２またはスロットマシーン５の指定を行うようにしてもよい。
【００５７】
（台間機３、４、６の動作）
次に、上述したカード処理機２００を備える台間機３、４、６の動作について、図８〜図１２を参照して説明する。
【００５８】
各台間機３、４、６における基本的な動作は同じであるので、ここでは、一例として台間機３（ユニット）における動作について説明する。図８は、台間機３の構成部を示す図、図９〜図１２は、台間機３における動作の流れを示す図である。
【００５９】
また、ここでは、会員用ＩＣカード３０または非会員用ＩＣカード３１は、ＩＤだけを有し、その他の情報は管理装置１３において管理されるシステムにおける動作の説明をする。さらに、この説明では、会員用ＩＣカード３０を利用する場合には、再プレー受付機１２で再プレー受付された後においては、再プレーＦＬＧが１、再プレーに利用可能な玉数を再プレー用貯玉数として管理装置１３が有しているシステムであることを前提とする。
【００６０】
図８に示すように、台間機３は、制御部３００、カード処理部３０１、カード貯留処理部３０２、カード位置検知部３０３、選択ボタン検知部３０４、貨幣識別部３０５から構成されている。
【００６１】
制御部３００は、演算装置（ＣＰＵ）、読み出し専用メモリ（ＲＯＭ）、ランダムアクセスメモリ（ＲＡＭ）から主に構成され、ＣＰＵでは、ＲＯＭやＲＡＭに格納されたプログラムやデータなどを用いて、例えば、消費税に対応するパチンコ玉数やメダル数の算出などの各種の演算処理を実行する。この制御部３００では、カード処理部３０１、カード貯留処理部３０２、カード位置検知部３０３、選択ボタン検知部３０４、貨幣識別部３０５の各機部間の信号の出入力、および、島コンピュータ７、ネットワーク８を介して管理装置１３との間の信号の出入力を制御している。ここで、島コンピュータ７は、パチンコ機２、スロットマシーン５および台間機３、４、６と、ネットワーク８との間の情報の通信を行うもので、データロガなどで構成されている。
【００６２】
カード処理部３０１は、カード挿入口３ａから挿入された会員用ＩＣカード３０または非会員用ＩＣカード３１に記録された、例えば、ＩＤやそのＩＤで管理されている有価情報などの読み取り、その読み取った情報の制御部３００への出力、制御部３００からの更新された有価情報などの会員用ＩＣカード３０または非会員用ＩＣカード３１への書き込みなどを行うもので、例えば、リーダライタなどで構成される。また、カード処理部３０１は、非会員用ＩＣカード３１を発行する場合に、非会員用ＩＣカード３１にＩＤなどを記録する。さらに、カード処理部３０１内には、搬送ベルトなどによるカード搬送手段（図示しない）を有し、カード挿入口３ａから挿入された会員用ＩＣカード３０または非会員用ＩＣカード３１は、このカード搬送手段によって、例えば、カード挿入口３ａからリーダライタ部と通信可能な位置に移動される。
【００６３】
カード貯留処理部３０２は、カード挿入口３ａから挿入された非会員用ＩＣカード３１のカード貯留部への貯留、カード貯留部からの取り出しまたはカード回収部への搬送を行うものである。また、カード貯留処理部３０２は、カード貯留部が、貯留できる非会員用ＩＣカード３１の貯留限界量に達したか否かを判定する機能も有している。
【００６４】
カード位置検知部３０３は、会員用ＩＣカード３０または非会員用ＩＣカード３１の搬送が、適切に行われたか否かを検知するもので、例えば、会員用ＩＣカード３０または非会員用ＩＣカード３１の挿入を検知する挿入検知センサ、会員用ＩＣカード３０または非会員用ＩＣカード３１が所定の位置にセットされたことを検知する位置セット検知センサ、非会員用ＩＣカード３１がカード回収部へ移動されたことを検知する落下検知センサなどで構成される。
【００６５】
選択ボタン検知部３０４は、貸玉ボタン３ｂ、再プレー用排出ボタン３ｃ、返却ボタン３ｄが押されたことを検知し、その押された信号に基づいて、制御部３００に信号を出力するものである。
【００６６】
貨幣識別部３０５は、貯留機構付き紙幣識別装置３７からの信号に基づき４種類の紙幣を識別し、識別した紙幣の情報を制御部３００に出力するものである。ここでは、貨幣識別部３０５は、台間機３に一体的に構成されている。
【００６７】
そして、制御部３００によって制御される、カード処理部３０１、カード貯留処理部３０２、カード位置検知部３０３、選択ボタン検知部３０４、貨幣識別部３０５の各機器部は、次のように動作する（図９〜図１２）。
【００６８】
以下に、図９〜図１２を参照して、その動作を説明する。
【００６９】
カード処理部３０１は、カード挿入口３ａからの会員用ＩＣカード３０または非会員用ＩＣカード３１の挿入を待機しており、会員用ＩＣカード３０または非会員用ＩＣカード３１の挿入を検知すると、それに応じた処理を実行する。また、貨幣識別部３０５は、紙幣挿入口３ｊからの紙幣の挿入を待機しており、紙幣の挿入を検知すると、それに応じた処理を実行する。
【００７０】
貨幣識別部３０５は、紙幣の受け入れがされたか否かを判定する（ステップＳ３１０）。
【００７１】
ステップＳ３１０の判定で、紙幣の受け入れがされたと判定した場合（ステップＳ３１０のＹｅｓ）には、貨幣識別部３０５は、その情報を制御部３００に出力し、制御部３００は、紙幣挿入口３ｊの近傍に設けられた入金可ランプ（図示しない）を消灯させ、それ以上の入金を禁止することを遊技者に示す（ステップＳ３１１）。
【００７２】
続いて、制御部３００は、例えば、カード挿入防止手段（図示しない）を作動させ、カード挿入口３ａから会員用ＩＣカード３０または非会員用ＩＣカード３１が挿入されるのを防止する（ステップＳ３１２）。
【００７３】
続いて、貨幣識別部３０５は、紙幣の入金額に対応する情報を制御部３００に出力する。カード処理部３０１またはカード位置検知部３０３は、常に会員用ＩＣカード３０または非会員用ＩＣカード３１が挿入されたか否かを判定している。そして、カード処理部３０１またはカード位置検知部３０３によって、会員用ＩＣカード３０または非会員用ＩＣカード３１がカード処理部３０１に挿入されていることが判定された場合、カード処理部３０１で会員用ＩＣカード３０または非会員用ＩＣカード３１のＩＤが読み取られ、制御部３００に出力される。制御部３００は、貨幣識別部３０５からの紙幣の入金額に対応する度数とカード処理部３０１からのＩＤの情報を島コンピュータ７、ネットワーク８を介して管理装置１３に送信する（ステップＳ３１３）。管理装置１３に送信された情報は、管理装置１３に記録される（ステップＳ３１３）。ここで挿入された会員用ＩＣカード３０または非会員用ＩＣカード３１が読み取りまたは書き込みが不可能な場合は、カード処理部３０１は、会員用ＩＣカード３０または非会員用ＩＣカード３１を返却する。
【００７４】
一方、カード処理部３０１またはカード位置検知部３０３によって、会員用ＩＣカード３０または非会員用ＩＣカード３１がカード処理部３０１に挿入されていないと判定された場合、カード貯留処理部３０２は、非会員用ＩＣカード３１をカード貯留部から取り出す。そして、取り出された非会員用ＩＣカード３１は、カード処理部３０１に搬送される（ステップＳ３１４）。そして、カード処理部３０１は、搬送された非会員用ＩＣカード３１にＩＤが与え、制御部３００は、そのＩＤを管理装置１３に出力する（ステップＳ３１４）。
【００７５】
続いて、制御部３００は、入金処理が完了したか否かを貨幣識別部３０５からの信号に基づいて判定する（ステップＳ３１５）。
【００７６】
ステップＳ３１５の判定で、入金処理が完了していないと判定した場合（ステップＳ３１５のＮｏ）には、ステップＳ３１５の処理を実行する。
【００７７】
一方、ステップＳ３１５の判定で、入金処理が完了したと判定した場合（ステップＳ３１５のＹｅｓ）には、制御部３００は、表示部３ｅに、入金額に対応する度数、使用可能度数などを表示するための表示情報を出力する。表示部３ｅは、その表示情報に基づいて入金額に対応する度数、使用可能度数などを、例えば、ＬＥＤなどを発光させて表示する（ステップＳ３１６）。なお、入金処理の完了は、非会員用ＩＣカード３１のＩＤに基づいて、度数などが制御部３００に適正に記録されたか確認（ベリファイ）することでなされ、それが確認できるまで制御部３００は待機状態となる。
【００７８】
続いて、制御部３００の入金履歴がクリアされる（ステップＳ３１７）。
【００７９】
さらに、制御部３００は、紙幣挿入口３ｊの近傍に設けられた入金可ランプ（図示しない）を点灯させ、入金が可能であることを遊技者に示す（ステップＳ３１８）。
【００８０】
続いて、制御部３００は、例えば、カード挿入防止手段を作動させ、カード挿入口３ａから会員用ＩＣカード３０または非会員用ＩＣカード３１が挿入可能にする（ステップＳ３１９）。そして、リターンし、スタートに戻る。
【００８１】
ステップＳ３１０の判定で、貨幣識別部３０５が紙幣を受け入れていないと判定した場合（ステップＳ３１０のＮｏ）には、貨幣識別部３０５は、その情報を制御部３００に出力する。続いて、制御部３００は、カード位置検知部３０３からの情報に基づいて、会員用ＩＣカード３０または非会員用ＩＣカード３１が挿入されているか否かを判定する（ステップＳ３２０）。
【００８２】
ステップＳ３２０の判定で、会員用ＩＣカード３０または非会員用ＩＣカード３１が挿入されていないと判定した場合（ステップＳ３２０のＮｏ）には、制御部３００は、貯留用の非会員用ＩＣカード３１の補充要求に関する情報を管理装置１３に出力し、管理装置１３は、その情報を受信すると、例えば、場内放送などによって、その台番号と補充指示を従業員に通知する（ステップＳ３２１）。
【００８３】
続いて、制御部３００は、紙幣挿入口３ｊの近傍に設けられた入金可ランプ（図示しない）を点灯させ、入金が可能であることを遊技者に示す（ステップＳ３２２）。
【００８４】
続いて、制御部３００は、例えば、カード挿入防止手段を作動させ、カード挿入口３ａから会員用ＩＣカード３０または非会員用ＩＣカード３１を挿入可能にする（ステップＳ３２３）。そして、リターンし、スタートに戻る。
【００８５】
一方、ステップＳ３２０の判定で、会員用ＩＣカード３０または非会員用ＩＣカード３１が挿入されていると判定した場合（ステップＳ３２０のＹｅｓ）には、制御部３００は、その情報に基づいて、挿入された会員用ＩＣカード３０または非会員用ＩＣカード３１をリーダライタ部に移動させるための情報をカード処理部３０１に出力する。そして、カード処理部３０１のカード搬送手段が駆動され、挿入された会員用ＩＣカード３０または非会員用ＩＣカード３１は、リーダライタ部２０３と通信可能な所定の位置に移動される（ステップＳ３２４）。
【００８６】
続いて、制御部３００は、例えば、カード挿入防止手段を作動させ、カード挿入口３ａから会員用ＩＣカード３０または非会員用ＩＣカード３１が挿入されるのを防止する（ステップＳ３２５）。
【００８７】
続いて、制御部３００は、カード処理部３０１からの情報に基づいて、会員用ＩＣカード３０または非会員用ＩＣカード３１の情報の読み取りおよび／または書き込みが可能か否かを判定する（ステップＳ３２６）。
【００８８】
ステップＳ３２６の判定で、会員用ＩＣカード３０または非会員用ＩＣカード３１の情報の読み取りおよび／または書き込みが可能でないと判定した場合（ステップＳ３２６のＮｏ）には、制御部３００は、情報の読み取りまたは書き込みが不可能な不良のカードを返却させる情報をカード処理部３０１に出力する。そして、カード処理部３０１は、カード搬送手段を駆動し、不良のカードをカード挿入口３ａから返却する（ステップＳ３２７）。
【００８９】
続いて、制御部３００は、表示部３ｅに、挿入されたカードが読み取りおよび／または書き込みができない不良カードであることを表示するための表示情報を表示部３ｅに出力し、表示部３ｅに、例えば、「エラーコード○○○」、「不良カード」、「読み取りおよび／または書き込み不可能」などの表示をする（ステップＳ３２８）。
【００９０】
また、制御部３００は、島コンピュータ７、ネットワーク８を介して管理装置１３に、これらのエラー情報を出力する。さらに、制御部３００は、状態表示ランプ３ｆにエラー発生中を示す赤点滅表示させる（ステップＳ３２９）。また、ブザー、場内放送などでエラーが発生したことを報知することも可能である。
【００９１】
さらに、制御部３００は、紙幣挿入口３ｊの近傍に設けられた入金可ランプ（図示しない）を消灯させ、それ以上の入金を禁止することを遊技者に示す（ステップＳ３３０）。
【００９２】
続いて、制御部３００は、例えば、カード挿入防止手段を作動させ、カード挿入口３ａから会員用ＩＣカード３０または非会員用ＩＣカード３１が挿入されるのを防止する（ステップＳ３３１）。
【００９３】
続いて、制御部３００は、カード処理部３０１からの情報に基づいて、情報の読み取りおよび／または書き込みが不能であるためカード搬送不良の原因となるカードが取り除かれるなど、エラーが解除されたか否かを判定する（ステップＳ３３２）。
【００９４】
ステップＳ３３２の判定で、エラーが解除されていないと判定した場合（ステップＳ３３２のＮｏ）には、ステップＳ３３２の処理を実行する。
【００９５】
一方、ステップＳ３３２の判定で、エラーが解除されたと判定した場合（ステップＳ３３２のＹｅｓ）には、エラー履歴がクリアされ（ステップＳ３３３）、ステップＳ３１８の処理を実行する。
【００９６】
ステップＳ３２６の判定で、会員用ＩＣカード３０または非会員用ＩＣカード３１の情報の読み取りおよび／または書き込みが可能であると判定した場合（ステップＳ３２６のＹｅｓ）には、続いて、制御部３００は、カード搬送部３０６からの情報に基づいて、搬送不良などのその他の不良がないか否かを判定する（ステップＳ３３４）。
【００９７】
ステップＳ３３４の判定で、その他の不良があると判定した場合（ステップＳ３３４のＹｅｓ）には、上記したステップＳ３２７からの処理を実行する。
【００９８】
一方、ステップＳ３３４の判定で、その他の不良がないと判定した場合（ステップＳ３３４のＮｏ）には、制御部３００は、状態表示ランプ３ｆに正常動作中を示す緑色点灯表示させる（ステップＳ３３５）。
【００９９】
さらに、制御部３００は、紙幣挿入口３ｊの近傍に設けられた入金可ランプ（図示しない）を点灯させ、入金可能であることを遊技者に示す（ステップＳ３３６）。続いて、図１０に示す「Ｐ１」または「Ｐ２」からの処理を実行する。
【０１００】
ここで、「Ｐ１」からの処理では、再プレー手数料または消費税を減じられた後のパチンコ玉の排出を行う際、台間機３（ユニット）の場合には、設定数（２５玉）のパチンコ玉は、ＣＲ機から、残りの設定数に満たない端玉は、台間機３（ユニット）からノズル３ｍを介して排出される一例が示されている。なお、台間機３（ユニット）は、パチンコ機２と情報通信ができるので、パチンコ機２の貸玉ボタンが押されると、パチンコ機２内部からパチンコ機２の上皿へ直接パチンコ玉を供給することができるが、台間機４（サンド）の場合には、パチンコ機２と情報通信ができないので、上記した設定数（２５玉）のパチンコ玉も、台間機４（サンド）からノズル４ｍを介して排出される。
【０１０１】
また、「Ｐ２」からの処理では、再プレー手数料または消費税を減じられた後のパチンコ玉の排出を行う際、再プレー手数料または消費税を減じられた後のパチンコ玉のすべてを台間機３（ユニット）から排出し、再プレー手数料または消費税を徴収しない場合には、ＣＲ機からから排出される一例が示されている。なお、台間機４（サンド）の場合には、パチンコ機２と情報通信ができないので、消費税を徴収しない場合でも、台間機４（サンド）からノズル４ｍを介して排出される。
【０１０２】
まず、図１０を参照して、「Ｐ１」からの処理について説明する。
【０１０３】
制御部３００は、カード処理部３０１からの情報に基づいて、会員用ＩＣカード３０のＩＤを管理装置１３に送信し、管理装置１３は、ＩＤに基づいて管理されている再プレーにおいて使用可能な度数や再プレー可能度数などの情報を制御部３００に出力する。制御部３００は、それらの情報に基づいて、再プレーにおいて使用可能な度数や再プレー可能度数などを表示部３ｅに表示する（ステップＳ３５０）。
【０１０４】
続いて、制御部３００は、選択ボタン検知部３０４からの情報に基づいて、貸玉ボタン３ｂが押されたか否かを判定する（ステップＳ３５１）。
【０１０５】
ステップＳ３５１の判定で、貸玉ボタン３ｂが押されたと判定した場合（ステップＳ３５１のＹｅｓ）には、消費税処理を実行する（ステップＳ３５２）。この消費税処理では、貸玉ボタン３ｂが１回押されたことに伴って貸し出されるパチンコ玉数（５００円分１２５玉）に対して、消費税分（１２５玉×０.０５／１.０５）と、貸玉分（１２５玉×１／１.０５）とを算出する（ステップＳ３５２）。なお、ここでは、消費税の割合を（０.０５／１.０５）としているが、この値に限られるものではなく、消費税の変動に伴って任意に設定することができる。また、消費税の割合を「０」として、消費税分を徴収しない設定としてもよい。
【０１０６】
続いて、制御部３００は、消費税分、貸玉分、度数減算値を、会員用ＩＣカード３０または非会員用ＩＣカード３１から読み取ったＩＤとともに管理装置１３に出力する（ステップＳ３５３）。
【０１０７】
続いて、制御部３００は、貸玉分から設定値（２５玉）を減算した値が「０」以上であるか否かを判定する（ステップＳ３５４）。このステップＳ３５４における処理は、排出する遊技媒体が設定数以上または設定数未満であるかを判定する所定数判定手段として機能し、その判定に基づいて、パチンコ玉の排出流路を切り替える排出流路切替手段が機能する。
【０１０８】
ステップＳ３５４の判定で、貸玉分から設定値（２５玉）を減算した値が「０」以上であると判定した場合（ステップＳ３５４のＹｅｓ）には、制御部３００は、設定数（２５玉）のパチンコ玉をＣＲ機から貸し出すための情報をＣＲ機に出力し、ＣＲ機から設定数（２５玉）のパチンコ玉が貸し出される（ステップＳ３５５）。なお、これは、台間機３（ユニット）が使用される場合であり、台間機４（サンド）の場合には、設定数（２５玉）のパチンコ玉は、台間機４（サンド）からノズル４ｍを介して貸し出される。
【０１０９】
続いて、制御部３００は、貸し出しを行う貸玉数からステップＳ３５５において貸し出された設定数（２５玉）を減算し、その値を貸し出しを行う貸玉数として更新する（ステップＳ３５６）。
【０１１０】
ステップＳ３５４の判定で、貸玉分から設定値（２５玉）を減算した値が「０」以上でないと判定した場合（ステップＳ３５４のＹｅｓ）には、貸し出しを行うパチンコ玉数が設定数より小さな端数であるため、その端数分のパチンコ玉は、台間機３（ユニット）からノズル３ｍを介して貸し出される（ステップＳ３５７）。ここで、貸玉分から設定値（２５玉）を減算した値が小数値を含む場合には、自然数値分の貸し出しを行う。つまり、例えば、貸玉分から設定値（２５玉）を減算した値が１２.５の場合には、１２玉の貸し出しを行う。なお、台間機４（サンド）の場合にも同様に、端数のパチンコ玉は、台間機４（サンド）からノズル４ｍを介して貸し出される。
【０１１１】
また、貸玉分から設定値（２５玉）を減算した値が小数値を含む場合、制御部３００は、その小数値を積算し、その積算した値に貸し出しを行う貸玉数を加算し、さらに、その加算から貸し出された整数値分を減算して、貸出端玉数を更新する（ステップＳ３５８）。
【０１１２】
続いて、貸出端玉数において、自然数値を有する場合には、その自然数値に対応する分のパチンコ玉を、台間機３（ユニット）からノズル３ｍを介して貸し出す（ステップＳ３５９）。
【０１１３】
続いて、制御部３００は、貸出端玉数から貸し出された自然数値を減算して、貸出端玉数を更新する（ステップＳ３６０）。
【０１１４】
続いて、制御部３００は、更新した貸出端玉数を会員用ＩＣカード３０または非会員用ＩＣカード３１から読み取ったＩＤとともに管理装置１３に出力する（ステップＳ３６１）。
【０１１５】
続いて、制御部３００は、貸玉分の値を「０」に書き換え（ステップＳ３６２）、図１２の「Ｑ」からの処理を実行する。
【０１１６】
ステップＳ３５１の判定で、貸玉ボタン３ｂが押されていないと判定した場合（ステップＳ３５１のＮｏ）には、続いて、制御部３００は、選択ボタン検知部３０４からの情報に基づいて、再プレー用排出ボタン３ｃが押されたか否かを判定する（ステップＳ３７０）。
【０１１７】
ステップＳ３７０の判定で、再プレー用排出ボタン３ｃが押されたと判定した場合（ステップＳ３７０のＹｅｓ）には、再プレー用排出要求信号がＩＤに基づいて、制御部３００から管理装置１３に送信され、管理装置１３からそのＩＤに基づいて管理されている再プレーＦＬＧの値が制御部３００に出力される。続いて、制御部３００は、管理装置１３からの再プレーＦＬＧの値を判定する（ステップＳ３７１）。ここで、再プレー受付機１２で受付されたときには、管理装置１３内の記録値である再プレーＦＬＧが「１」となり、受付されていないときには、再プレーＦＬＧが「０」となっている。
【０１１８】
ステップＳ３７１の判定で、再プレーＦＬＧが「０」であると判定した場合（ステップＳ３７１の「０」）には、図１２の「Ｑ」からの処理を実行する。
【０１１９】
一方、ステップＳ３７１の判定で、再プレーＦＬＧが「１」であると判定した場合（ステップＳ３７１の「１」）には、再プレー手数料処理を実行する（ステップＳ３７２）。この再プレー手数料処理では、再プレー用排出ボタン３ｃが１回押されたことに伴って排出されるパチンコ玉数（５００円分１２５玉）に対して、再プレー手数料分（１２５玉×０.３７５／１.３７５）と、再プレー用排出分（１２５玉×１／１.３７５）とを算出する（ステップＳ３７２）。なお、ここでは、再プレー手数料の割合を（０.３７５／１.３７５）としているが、この値に限られるものではなく、任意に設定することができる。また、再プレー手数料の割合を「０」として、再プレー手数料分を徴収しない設定としてもよい。
【０１２０】
続いて、制御部３００は、再プレー手数料分、再プレー用排出分、再プレー用度数減算値を、会員用ＩＣカード３０から読み取ったＩＤとともに管理装置１３に出力する（ステップＳ３７３）。
【０１２１】
続いて、制御部３００は、再プレー用排出分から設定値（２５玉）を減算した値が「０」以上であるか否かを判定する（ステップＳ３７４）。このステップＳ３７４における処理は、排出する遊技媒体が設定数以上または設定数未満であるかを判定する所定数判定手段として機能し、その判定に基づいて、パチンコ玉の排出流路を切り替える排出流路切替手段が機能する。
【０１２２】
ステップＳ３７４の判定で、再プレー用排出分から設定値（２５玉）を減算した値が「０」以上であると判定した場合（ステップＳ３７４のＹｅｓ）には、制御部３００は、設定数（２５玉）のパチンコ玉をＣＲ機から排出すための情報をＣＲ機に出力し、ＣＲ機から設定数（２５玉）のパチンコ玉が排出される（ステップＳ３７５）。なお、これは、台間機３（ユニット）が使用される場合であり、台間機４（サンド）の場合には、設定数（２５玉）のパチンコ玉は、台間機４（サンド）からノズル４ｍを介して排出される。
【０１２３】
続いて、制御部３００は、排出を行う再プレー用排出分からステップＳ３７５において排出された設定数（２５玉）を減算し、その値を排出を行う再プレー用排出分として更新する（ステップＳ３７６）。
【０１２４】
ステップＳ３７４の判定で、再プレー用排出分から設定値（２５玉）を減算した値が「０」以上でないと判定した場合（ステップＳ３５４のＹｅｓ）には、排出を行うパチンコ玉数が設定数より小さな端数であるため、その端数分のパチンコ玉は、台間機３（ユニット）からノズル３ｍを介して排出される（ステップＳ３７７）。ここで、再プレー用排出分から設定値（２５玉）を減算した値が小数値を含む場合には、自然数値分の排出を行う。つまり、例えば、再プレー用排出分から設定値（２５玉）を減算した値が１２.５の場合には、１２玉の排出を行う。なお、台間機４（サンド）の場合にも同様に、端数のパチンコ玉は、台間機４（サンド）からノズル４ｍを介して排出される。
【０１２５】
また、再プレー用排出分から設定値（２５玉）を減算した値が小数値を含む場合、制御部３００は、その小数値を積算し、その積算した値に、排出を行う再プレー用排出分を加算し、さらに、その加算から排出された整数値分を減算して、再プレー用端玉数を更新する（ステップＳ３７８）。
【０１２６】
続いて、再プレー用端玉数において、自然数値を有する場合には、その自然数値に対応する分のパチンコ玉を、台間機３（ユニット）からノズル３ｍを介して排出する（ステップＳ３７９）。
【０１２７】
続いて、制御部３００は、再プレー用端玉数から排出された自然数値を減算して、再プレー用端玉数を更新する（ステップＳ３８０）。
【０１２８】
続いて、制御部３００は、更新した再プレー用端玉数を会員用ＩＣカード３０から読み取ったＩＤとともに管理装置１３に出力する（ステップＳ３８１）。
【０１２９】
続いて、制御部３００は、再プレー用排出分の値を「０」に書き換える（ステップＳ３８２）
【０１３０】
続いて、制御部３００は、管理装置１３から再プレー用貯玉数の情報を受信し、その情報に基づいて再プレー用貯玉数が「０」か否かを判定する（ステップＳ３８３）。
【０１３１】
ステップＳ３８３の判定において、再プレー用貯玉数が「０」であると判定した場合（ステップＳ３８３のＹｅｓ）には、制御部３００は、再プレーＦＬＧの数値を「０」に書き換える情報を管理装置１３に出力する（ステップＳ３８４）。そして、管理装置１３では、ＩＤに基づいて再プレーＦＬＧの数値を「０」に書き換え、図１２の「Ｑ」からの処理を実行する。
【０１３２】
一方、ステップＳ３８３の判定において、再プレー用貯玉数が「０」であると判定した場合（ステップＳ３８３のＮｏ）には、図１２の「Ｑ」からの処理を実行する。
【０１３３】
ステップＳ３７０の判定で、再プレー用排出ボタン３ｃが押されていないと判定した場合（ステップＳ３７０のＮｏ）には、ステップＳ３８３の処理を実行する。
【０１３４】
ここで、上記した「Ｐ１」からの処理では、台間機に再プレー用排出ボタン３ｃが設けられている場合の一例について説明したが、台間機に再プレー用排出ボタン３ｃが設けられず、貸玉ボタン３ｂを再プレー用排出ボタンとして機能させる場合もある。
【０１３５】
この場合には、ステップＳ３５１の判定で、貸玉ボタン３ｂが押されたと判定した場合（ステップＳ３５１のＹｅｓ）には、続いて、ステップＳ３７１の判定を実行する。そして、ステップＳ３７１の判定で、再プレーＦＬＧが「０」であると判定した場合（ステップＳ３７１の「０」）には、ステップＳ３５２の処理を実行する。
【０１３６】
また、ステップＳ３５１の判定で、貸玉ボタン３ｂが押されていないと判定した場合（ステップＳ３５１のＮｏ）には、ステップＳ３８３の処理を実行する。
【０１３７】
次に、図１１を参照して、「Ｐ２」からの処理について説明する。
【０１３８】
制御部３００は、カード処理部３０１からの情報に基づいて、会員用ＩＣカード３０のＩＤを管理装置１３に送信し、管理装置１３は、ＩＤに基づいて管理されている再プレーにおいて使用可能な度数や再プレー可能度数などの情報を制御部３００に出力する。制御部３００は、それらの情報に基づいて、再プレーにおいて使用可能な度数や再プレー可能度数などを表示部３ｅに表示する（ステップＳ４００）。
【０１３９】
続いて、制御部３００は、選択ボタン検知部３０４からの情報に基づいて、貸玉ボタン３ｂが押されたか否かを判定する（ステップＳ４０１）。
【０１４０】
ステップＳ４０１の判定で、貸玉ボタン３ｂが押されたと判定した場合（ステップＳ４０１のＹｅｓ）には、消費税処理を実行する（ステップＳ４０２）。この消費税処理では、貸玉ボタン３ｂが１回押されたことに伴って貸し出されるパチンコ玉数（５００円分１２５玉）に対して、消費税分（１２５玉×０.０５／１.０５）と、貸玉分（１２５玉×１／１.０５）とを算出する（ステップＳ４０２）。なお、ここでは、消費税の割合を（０.０５／１.０５）としているが、この値に限られるものではなく、の変動に伴って任意に設定することができる。また、消費税の割合を「０」として、消費税分を徴収しない設定としてもよい。
【０１４１】
続いて、制御部３００は、消費税分、貸玉分、度数減算値を、会員用ＩＣカード３０または非会員用ＩＣカード３１から読み取ったＩＤとともに管理装置１３に出力する（ステップＳ４０３）。
【０１４２】
ここで、上記した、貸玉ボタン３ｂが１回押されたことに伴って貸し出されるパチンコ玉数（５００円分１２５玉）は、５回に分けて、つまり、１００円分毎に貸し出すことができる。そこで、制御部３００は、その貸し出す回数「ｉ」を「５」と設定する（ステップＳ４０４）。
【０１４３】
続いて、制御部３００は、今回（ｉ＝５）の貸し出しにおいて、パチンコ玉から消費税分を減算するか否かを判定する（ステップＳ４０５）。このステップＳ４０５における処理は、パチンコ玉の排出経路を切り替える排出経路切替手段として機能する。
【０１４４】
ここで、消費税分の減算は、例えば、ステップＳ４０２の処理で算出された消費税分に相当するパチンコ玉数を、１回の貸し出し分から差し引き可能な場合には、任意の１回の設定数から消費税分に相当するパチンコ玉数を減算してもよく、また、１回の貸し出し分から差し引き不可能な場合には、任意の複数回の設定数から消費税分に相当するパチンコ玉数を減算してもよい。また、消費税分に相当するパチンコ玉数を、１回の貸し出し分から差し引き可能な場合でも、任意の複数回の設定数から消費税分に相当するパチンコ玉数を減算してもよい。なお、次に示すように、消費税分の減算が行われる貸し出しは、ステップＳ４０５の「あり」と判定され、ステップＳ４１５の処理が実行される。また、再プレー手数料や消費税が減算されない設定の場合には、ステップＳ４０６から処理が実行され、ＣＲ機を介して設定数（２５玉）ずつパチンコ玉が排出される。
【０１４５】
ステップＳ４０５の判定で、パチンコ玉から消費税分を減算すると判定した場合（ステップＳ４０５の「あり」）には、ステップＳ４１５の処理を実行する。
【０１４６】
一方、ステップＳ４０５の判定で、パチンコ玉から消費税分を減算しないと判定した場合（ステップＳ４０５の「無」）には、続いて、「ｉ」が「０」以下か否かを判定する（ステップＳ４０６）。
【０１４７】
ステップＳ４０６の判定で、「ｉ」が「０」以下であると判定した場合（ステップＳ４０６のＹｅｓ）には、図１２の「Ｑ」からの処理を実行する。
【０１４８】
一方、ステップＳ４０６の判定で、「ｉ」が「０」以下でないと判定した場合（ステップＳ４０６のＮｏ）には、制御部３００は、「ｉ」から「１」を減算して、「ｉ」の値を更新する（ステップＳ４０７）。
【０１４９】
続いて、制御部３００は、設定数（２５玉）のパチンコ玉をＣＲ機から貸し出すための情報をＣＲ機に出力し、ＣＲ機から設定数（２５玉）のパチンコ玉が貸し出される（ステップＳ４０８）。なお、これは、台間機３（ユニット）が使用される場合であり、台間機４（サンド）の場合には、設定数（２５玉）のパチンコ玉は、台間機４（サンド）からノズル４ｍを介して貸し出される。そして、ステップＳ４０５の処理を実行する。
【０１５０】
ステップＳ４０１の判定で、貸玉ボタン３ｂが押されていないと判定した場合（ステップＳ４０１のＮｏ）には、続いて、制御部３００は、選択ボタン検知部３０４からの情報に基づいて、再プレー用排出ボタン３ｃが押されたか否かを判定する（ステップＳ４１０）。
【０１５１】
ステップＳ４１０の判定で、再プレー用排出ボタン３ｃが押されたと判定した場合（ステップＳ４１０のＹｅｓ）には、再プレー用排出要求信号がＩＤに基づいて、制御部３００から管理装置１３に送信され、管理装置１３からそのＩＤに基づいて管理されている再プレーＦＬＧの値が制御部３００に出力される。続いて、制御部３００は、管理装置１３からの再プレーＦＬＧの値を判定する（ステップＳ４１１）。ここで、再プレー受付機１２で受付されたときには、管理装置１３内の記録値である再プレーＦＬＧが「１」となり、受付されていないときには、再プレーＦＬＧが「０」となっている。
【０１５２】
ステップＳ４１１の判定で、再プレーＦＬＧが「０」であると判定した場合（ステップＳ４１１の「０」）には、図１２の「Ｑ」からの処理を実行する。
【０１５３】
一方、ステップＳ４１１の判定で、再プレーＦＬＧが「１」であると判定した場合（ステップＳ４１１の「１」）には、再プレー手数料処理を実行する（ステップＳ４１２）。この再プレー手数料処理では、再プレー用排出ボタン３ｃが１回押されたことに伴って排出されるパチンコ玉数（５００円分１２５玉）に対して、再プレー手数料分（１２５玉×０.３７５／１.３７５）と、再プレー用排出分（１２５玉×１／１.３７５）とを算出する（ステップＳ４１２）。なお、ここでは、再プレー手数料の割合を（０.３７５／１.３７５）としているが、この値に限られるものではなく、任意に設定することができる。また、再プレー手数料の割合を「０」として、再プレー手数料分を徴収しない設定としてもよい。再プレー手数料の割合を「０」とした場合には、ステップＳ４１３の処理後、ステップＳ４０６の処理を実行し、ＣＲ機から再プレー用排出分のパチンコ玉を排出してもよい。
【０１５４】
続いて、制御部３００は、再プレー手数料分、再プレー用排出分、再プレー用度数減算値を、会員用ＩＣカード３０から読み取ったＩＤとともに管理装置１３に出力する（ステップＳ４１３）。
【０１５５】
ここで、上記した、再プレー用排出ボタン３ｃが１回押されたことに伴って排出されるパチンコ玉数（５００円分１２５玉）は、５回に分けて、つまり、１００円分毎に排出すことができる。そこで、制御部３００は、その排出回数「ｉ」を「５」と設定する（ステップＳ４１４）。
【０１５６】
続いて、制御部３００は、「ｉ」が「０」以下か否かを判定する（ステップＳ４１５）。
【０１５７】
ステップＳ４１５の判定で、「ｉ」が「０」以下でないと判定した場合（ステップＳ４１５のＮｏ）には、制御部３００は、「ｉ」から「１」を減算して、「ｉ」の値を更新する（ステップＳ４１６）。
【０１５８】
続いて、制御部３００は、再プレー用排出分または消費税分を減算した後の貸玉分を、台間機３（ユニット）からノズル３ｍを介して排出する（ステップＳ４１７）。
【０１５９】
ここで、再プレー用排出分または消費税分を減算した後の貸玉分の値が小数値を含む場合には、自然数値分の排出を行う。つまり、例えば、再プレー用排出分または消費税分を減算した後の貸玉分の値が１２.５の場合には、１２玉の排出を行う。なお、台間機４（サンド）の場合にも同様に、端数のパチンコ玉は、台間機４（サンド）からノズル４ｍを介して排出される。
【０１６０】
また、再プレー用排出分または消費税分を減算した後の貸玉分の値が小数値を含む場合には、上記したステップＳ３５８〜ステップＳ３６０、またはステップＳ３７８〜ステップＳ３８０における処理と同様の処理を実行してもよい。つまり、再プレー用端玉数や貸玉分の端玉数を積算し、その積算値が自然数値を有する場合には、その自然数値に対応する分のパチンコ玉を、台間機３（ユニット）からノズル３ｍを介して排出してもよい。
【０１６１】
ステップＳ４１５の判定で、「ｉ」が「０」以下であると判定した場合（ステップＳ４１５のＹｅｓ）には、続いて、制御部３００は、管理装置１３から再プレー用貯玉数の情報を受信し、その情報に基づいて再プレー用貯玉数が「０」か否かを判定する（ステップＳ４１８）。
【０１６２】
ステップＳ４１８の判定において、再プレー用貯玉数が「０」であると判定した場合（ステップＳ４１８のＹｅｓ）には、制御部３００は、再プレーＦＬＧの数値を「０」に書き換える情報を管理装置１３に出力する（ステップＳ４１９）。そして、管理装置１３では、ＩＤに基づいて再プレーＦＬＧの数値を「０」に書き換え、図１２の「Ｑ」からの処理を実行する。
【０１６３】
一方、ステップＳ４１８の判定において、再プレー用貯玉数が「０」でないと判定した場合（ステップＳ４１８のＮｏ）には、図１２の「Ｑ」からの処理を実行する。
【０１６４】
ここで、上記した「Ｐ２」からの処理では、台間機に再プレー用排出ボタン３ｃが設けられている場合の一例について説明したが、台間機に再プレー用排出ボタン３ｃが設けられず、貸玉ボタン３ｂを再プレー用排出ボタンとして機能させる場合もある。
【０１６５】
この場合には、ステップＳ４０１の判定で、貸玉ボタン３ｂが押されたと判定した場合（ステップＳ４０１のＹｅｓ）には、続いて、ステップＳ４１１の判定を実行する。そして、ステップＳ４１１の判定で、再プレーＦＬＧが「０」であると判定した場合（ステップＳ４１１の「０」）には、ステップＳ４０２の処理を実行する。
【０１６６】
また、ステップＳ４０１の判定で、貸玉ボタン３ｂが押されていないと判定した場合（ステップＳ４０１のＮｏ）には、ステップＳ４１８の処理を実行する。
【０１６７】
上記した「Ｐ２」からの処理において、消費税分や再プレー手数料分が減算されたときの排出のみを、台間機３（ユニット）からノズル３ｍを介して行っているが、例えば、消費税処理や再プレー手数料処理に係るすべてのパチンコ玉を台間機３（ユニット）からノズル３ｍを介して排出するようにしてもよい。この場合には、消費税処理や再プレー手数料処理を施す遊技媒体の排出要求情報を、例えば制御部３００が判定し、遊技媒体の排出経路を切り替える。
【０１６８】
次に、図１２を参照して、「Ｑ」からの処理について説明する。
【０１６９】
制御部３００は、選択ボタン検知部３０４からの情報に基づいて、返却ボタン３ｄが押されたか否かを判定する（ステップＳ４５０）。
【０１７０】
ステップＳ４５０の判定で、返却ボタン３ｄが押されたと判定した場合（ステップＳ４５０のＹｅｓ）には、続いて、制御部３００は、カード処理部３０１またはカード位置検知部３０３からの情報に基づいて、非会員用ＩＣカード３１があるか否かを判定する（ステップＳ４５１）。
【０１７１】
ステップＳ４５１の判定で、非会員用ＩＣカード３１がないと判定した場合（ステップＳ４５１のＮｏ）には、制御部３００は、カード処理部３０１に、カード挿入口３ａより会員用ＩＣカード３０を返却する情報を出力する。カード処理部３０１は、その情報に基づいて会員用ＩＣカード３０を返却し（ステップＳ４５２）、リターンしてスタートに戻る。
【０１７２】
一方、ステップＳ４５１の判定で、非会員用ＩＣカード３１があると判定した場合（ステップＳ４５１のＹｅｓ）には、続いて、制御部３００は、カード処理部３０１からの情報に基づいて、非会員用ＩＣカード３１に度数残高があるか否かを判定する（ステップＳ４５３）。
【０１７３】
ステップＳ４５３の判定において、非会員用ＩＣカード３１に度数残高があると判定した場合（ステップＳ４５３のＹｅｓ）には、制御部３００は、カード処理部３０１に、カード挿入口３ａより非会員用ＩＣカード３１を返却する情報を出力する。そして、カード処理部３０１は、その情報に基づいて非会員用ＩＣカード３１を返却する（ステップＳ４５４）。
【０１７４】
続いて、制御部３００は、積算された貸出端玉数の情報を「０」に更新する情報を、非会員用ＩＣカード３１のＩＤとともに管理装置１３に出力する。管理装置１３では、非会員用ＩＣカード３１のＩＤに基づく貸出端玉数の情報を「０」に更新する（ステップＳ４５５）。
【０１７５】
続いて、制御部３００は、例えば、カード挿入防止手段を作動させ、カード挿入口３ａから会員用ＩＣカード３０または非会員用ＩＣカード３１が挿入できるようにする（ステップＳ４５６）。
【０１７６】
また、制御部３００は、返却ボタンのＯＮ履歴をクリアする（ステップＳ４５７）。
【０１７７】
ステップＳ４５３の判定において、非会員用ＩＣカード３１に度数残高がないと判定した場合（ステップＳ４５３のＮｏ）には、続いて、制御部３００は、カード貯留処理部３０２からの情報に基づいて、カード貯留部における貯留量が限界か否かを判定する（ステップＳ４５８）。
【０１７８】
ステップＳ４５８の判定で、カード貯留部における貯留量が限界であると判定した場合（ステップＳ４５８のＹｅｓ）には、制御部３００は、非会員用ＩＣカード３１のカード排出部への誘導動作を行わせる情報をカード貯留処理部３０２に出力する。そして、カード貯留処理部３０２は、非会員用ＩＣカード３１をカード回収部３ｇへ搬送する（ステップＳ４５９）。そして、ステップＳ４５６の処理を実行する。
【０１７９】
一方、ステップＳ４５８の判定で、カード貯留部における貯留量が限界でないと判定した場合（ステップＳ４５８のＮｏ）には、制御部３００は、非会員用ＩＣカード３１のカード貯留部への貯留動作を行わせる情報をカード貯留処理部３０２に出力する。そして、カード貯留処理部３０２は、非会員用ＩＣカード３１をカード貯留部に貯留する（ステップＳ４６０）。そして、ステップＳ４５６の処理を実行する。
【０１８０】
ステップＳ４５０の判定で、返却ボタン３ｄが押されていないと判定した場合（ステップＳ４５０のＮｏ）には、続いて、制御部３００は、カード処理部３０１またはカード位置検知部３０３からの情報に基づいて、会員用ＩＣカード３０が挿入されているか否かを判定する（ステップＳ４７０）。
【０１８１】
ステップＳ４７０の判定で、会員用ＩＣカード３０が挿入されていると判定した場合（ステップＳ４７０のＹｅｓ）には、制御部３００は、状態表示ランプ３ｆに青色を点灯させ（ステップＳ４７１）、ソレノイドでカード挿入口３ａを封鎖させる（ステップＳ４７２）。そして、リターンしてスタートに戻る。
【０１８２】
一方、ステップＳ４７０の判定で、会員用ＩＣカード３０が挿入されていないと判定した場合（ステップＳ４７０のＮｏ）には、続いて、制御部３００は、カード処理部３０１またはカード位置検知部３０３からの情報に基づいて、非会員用ＩＣカード３１が挿入されているか否かを判定する（ステップＳ４７３）。
【０１８３】
ステップＳ４７３の判定において、非会員用ＩＣカード３１が挿入されていると判定した場合（ステップＳ４７３のＹｅｓ）には、制御部３００は、状態表示ランプ３ｆに赤色を点灯させ（ステップＳ４７４）、ソレノイドでカード挿入口３ａを封鎖させる（ステップＳ４７２）。そして、リターンしてスタートに戻る。
【０１８４】
一方、ステップＳ４７３の判定において、非会員用ＩＣカード３１が挿入されていないと判定した場合（ステップＳ４７３のＮｏ）には、リターンしてスタートに戻る。
【０１８５】
（管理装置１３）
図１３は、管理装置１３の構成部を示す図、図１４は、管理装置１３における動作の流れを示す図である。
【０１８６】
図１に示されているように、管理装置１３は、複数のパチンコ機２、複数のパチンコ機２のそれぞれに接続された台間機３、４、複数のスロットマシーン５、スロットマシーン５のそれぞれに接続された台間機６と島コンピュータ７およびネットワーク８を介して接続されている。また、管理装置１３は、計数機９、精算機１０、景品管理機（ＰＯＳ）１１、再プレー受付機１２、発行機２０、データ表示機２１、データ公開機２２などともネットワーク８を介して接続されている。
【０１８７】
さらに、ネットワーク８を介して管理装置１３に入力された情報は、プロトコルコンバータ１４、モデム１５を介してカードセンタ１６に送信される。また、管理装置１３は、例えば、パーソナルコンピュータ１７などとも接続され、パーソナルコンピュータ１７で管理装置１３の情報を見ることができる。また、パーソナルコンピュータ１７は、管理装置１３で管理している各情報にアクセスことができるので、各情報の表示や印刷をすることができる。さらに、パーソナルコンピュータ１７では、例えば、再プレー手数料の設定などの管理装置１３の種々の設定や会員登録などを行うこともできる。
【０１８８】
管理装置１３は、台間機３、４、６、計数機９、精算機１０、景品管理機（ＰＯＳ）１１、再プレー受付機１２、発行機２０、データ表示機２１、データ公開機２２などの機器からの情報を管理するものである。前述した各機器毎の管理装置１３との情報の通信に基づいて、管理装置１３には後述するような様々な情報が記憶されている。
【０１８９】
また、管理装置１３は、各遊技機における、例えば、スランプグラフ、スタート回数、大当たり回数などの情報を各遊技機の上部に取り付けられたデータ表示機２１に出力することもできる。データ表示機２１では、こられの情報を表示部に表示して、遊技台の情報を遊技者に提供する。
【０１９０】
さらに、管理装置１３は、例えば、各遊技機におけるスランプグラフ、スタート回数、大当たり回数などの情報、遊技台ランキング、遊技台毎の勝敗などの情報をデータ公開機２２に出力することもできる。データ公開機２２では、こられの情報を表示部に表示して、遊技台の情報を遊技者に提供する。
【０１９１】
図１３に示すように、管理装置１３は、制御部５００、会員カード情報管理部５０１、非会員カード情報管理部５０２、出力処理部５０３から構成されている。
【０１９２】
制御部５００は、演算装置（ＣＰＵ）、読み出し専用メモリ（ＲＯＭ）、ランダムアクセスメモリ（ＲＡＭ）から主に構成され、ＣＰＵでは、ＲＯＭやＲＡＭに格納されたプログラムやデータなどを用いて各種の演算処理を実行する。この制御部５００では、会員カード情報管理部５０１、非会員カード情報管理部５０２、出力処理部５０３の各機部間の信号の出入力、および、ネットワーク８を介して各機器との間の信号の出入力を制御している。また、制御部５００は、管理装置１３とネットワーク８を介して各機器の制御部と通信できるように接続されている。
【０１９３】
なお、ここで管理装置１３は役割分担した同一ネットワーク上の複数のコンピュータシステムで構成することもできる。例えば、カード管理用、顧客管理用、遊技台管理用、データ表示機管理用などの複数のコンピュータシステムを用いれば、それだけ各役割を高速に実行することができる。
【０１９４】
会員カード情報管理部５０１は、各機器に会員用ＩＣカード３０が用いられたときの情報を管理するものである。図１５には、ＩＤ毎に管理された情報の情報管理一覧表５５０の一例を示す。図１５に示された情報管理一覧表５５０は、管理装置１３に接続された、例えば、パーソナルコンピュータ１７などで見ることができる。
【０１９５】
会員用ＩＣカード３０が用いられた場合には、会員用ＩＣカード３０のＩＤに基づき、情報管理一覧表５５０に記載されているような、例えば、貯玉数、度数残高、再プレー用貯玉数、ポイント、台間機または発行機に挿入した金額、精算金額、消費税処理度数、貸玉端玉積算値、再プレー用端玉積算値などを管理している。これらのデータは、会員用ＩＣカード３０のＩＤ毎に管理され、さらに、履歴情報、日毎情報、週毎情報などとしても管理されている。なお、図１５に示された情報管理一覧表５５０は、日毎情報の一例である。
【０１９６】
なお、会員用ＩＣカード３０を用いた会員の遊技者用の管理項目は、図１５の情報管理一覧表５５０に記載された管理項目に限るものではなく、例えば、遊技した遊技台種毎のアウト（発射玉）、セーフ（遊技の上皿への供給玉、つまり遊技者の獲得玉）、勝敗情報（セーフからアウトを減じたもの）、大当たり回数、ＣＲ機売上などの情報や、会員の遊技者の住所、氏名、年齢、好きな台、連絡先なども管理項目とすることもできる。
【０１９７】
非会員カード情報管理部５０２は、各機器に非会員用ＩＣカード３１が用いられたときの情報を管理するものである。図１６には、ＩＤ毎に管理された情報の情報管理一覧表５５１の一例を示す。図１６に示された情報管理一覧表５５１は、管理装置１３に接続された、例えば、パーソナルコンピュータ１７などで見ることができる。
【０１９８】
非会員用ＩＣカード３１が用いられた場合には、非会員用ＩＣカード３１のＩＤに基づき、情報管理一覧表５５１に記載されているような、例えば、度数残高、台間機または発行機に挿入した金額、精算金額、消費税処理度数、貸玉端玉積算値などを管理している。これらのデータは、非会員用ＩＣカード３１のＩＤ毎に管理される。非会員用ＩＣカード３１を用いる場合には、度数残高を保持できる期間が、例えば、１日などのように限られている。そのため、その期間内でなければ、精算機１０で度数残高を精算し、現金化することができない。
【０１９９】
非会員用ＩＣカード３１が用いられた場合には、度数残高を保持できる期間に対応した情報が管理されている。図１６に示された情報管理一覧表５５１は、その管理期間における情報の一例である。なお、レシート発券時の簡易管理ＩＤおよび玉数（計数機９で計数されたもの）の情報は、偽造されたレシートが使用されるのを防ぐために、一時的に管理されている。したがって、景品管理機（ＰＯＳ）１１における景品交換時において、レシートの適正を確認した後には、簡易管理ＩＤおよび玉数の情報は、管理装置１３から消去される。
【０２００】
ここで、非会員用ＩＣカード３１が用いられた場合には、アウト（発射玉）、セーフ（遊技の上皿への供給玉、つまり遊技者の獲得玉）、勝敗（セーフからアウトを減じたもの）、貯玉数、再プレー用貯玉数、再プレー手数料、ポイント、遊技台種別、大当たり回数、ＣＲ機売上などの情報が含まれない点で、会員用ＩＣカード３０のを用いた場合の情報とは異なる。
【０２０１】
出力処理部５０３は、カードセンタ１６に送信する、例えば、一日の営業結果などの情報を、会員カード情報管理部５０１および非会員カード情報管理部５０２に管理されているデータに基づいて管理している。例えば、パーソナルコンピュータ１７などから終業処理の信号が管理装置１３に入力されると、カードセンタ１６に送信する情報を制御部５００を介してプロトコルコンバータ１４に出力する。プロトコルコンバータ１４に出力された情報は、モデム１５を介してカードセンタ１６に送信される。
【０２０２】
そして、制御部５００によって制御される、会員カード情報管理部５０１、非会員カード情報管理部５０２、出力処理部５０３の各機器部は、次のように動作する（図１４）。なお、ここでは、管理装置１３に入力された情報の管理動作について主に説明する。
【０２０３】
以下に、図１４を参照してその動作を説明する。
【０２０４】
管理装置１３の制御部５００に、発行機２０、再プレー受付機１２、台間機３、４、６、計数機９、景品管理機（ＰＯＳ）１１、精算機１０などからの情報が入力される（ステップＳ５１０）。
【０２０５】
制御部５００は、ステップＳ５１０で入力された情報に基づいて、会員用ＩＣカード３０のを用いた場合の情報か否かを判定する（ステップＳ５１１）。
【０２０６】
ステップＳ５１１の判定で、会員用ＩＣカード３０のを用いた場合の情報であると判定した場合（ステップＳ５１１のＹｅｓ）には、入力された情報は、会員カード情報管理部５０１に出力される（ステップＳ５１２）。会員カード情報管理部５０１では、その入力された情報に基づいて、例えば、図１５に示すように、ＩＤおよび項目毎に入力情報が管理される（ステップＳ５１２）。
【０２０７】
ステップＳ５１１の判定で、会員用ＩＣカード３０のを用いた場合の情報でないと判定した場合（ステップＳ５１１のＮｏ）には、入力された情報は、非会員カード情報管理部５０２に出力される（ステップＳ５１３）。非会員カード情報管理部５０２では、その入力された情報に基づいて、例えば、図１６に示すように、ＩＤおよび項目毎に入力情報を管理する（ステップＳ５１３）。
【０２０８】
続いて、制御部５００は、出力処理部５０３からの情報に基づいて、パーソナルコンピュータ１７などから終業処理信号が管理装置１３に入力されたか否かを判定する（ステップＳ５１４）。
【０２０９】
ステップＳ５１４の判定で、終業処理信号が管理装置１３に入力されていないと判定した場合（ステップＳ５１４のＮｏ）には、リターンしてスタートに戻る。
【０２１０】
一方、ステップＳ５１４の判定で、終業処理信号が管理装置１３に入力されたと判定した場合（ステップＳ５１４のＹｅｓ）には、出力処理部５０３から、例えば、会員カード情報管理部５０１および非会員カード情報管理部５０２で管理されているデータに基づいて集計された一日の営業結果などの情報が、制御部５００、プロトコルコンバータ１４およびモデム１５を介してカードセンタ１６に送信される（ステップＳ５１５）。
【０２１１】
続いて、制御部５００は、出力処理部５０３からの情報に基づいて、パーソナルコンピュータ１７などからデータ送信要求信号が管理装置１３に入力されたか否かを判定する（ステップＳ５１６）。
【０２１２】
ステップＳ５１６の判定で、データ送信要求信号が管理装置１３に入力されていないと判定した場合（ステップＳ５１６のＮｏ）には、リターンしてスタートに戻る。
【０２１３】
一方、ステップＳ５１６の判定で、データ送信要求信号が管理装置１３に入力されたと判定した場合（ステップＳ５１６のＹｅｓ）には、会員カード情報管理部５０１および非会員カード情報管理部５０２に管理されているデータに基づいて、例えば、図１５〜図１６に示すようなデータを、パーソナルコンピュータ１７などに出力する（ステップＳ５１７）。そして、会員カード情報管理部５０１および非会員カード情報管理部５０２に管理されているデータに基づいて、出力されたデータは、パーソナルコンピュータ１７の画面に表示される。
【０２１４】
また、管理装置１３では、例えば、非会員用ＩＣカード３１における度数残高の有効期限の切れた情報をＩＤ毎に判定し、有効期限が切れた度数残高の情報を有する場合には、その情報を削除する（ステップＳ５１８）。
【０２１５】
続いて、管理装置１３は、始業処理を実行する（ステップＳ５１９）。ここで、始業処理は、パワーＯＮにて割り込み処理にて別途実施する。始業処理とは、上記した各機器との通信がネットワークを介して可能か否かどうか、および、各機器の自己診断機能により、各機器における故障の有無を確認する。この確認において、各機器との通信ができない場合や各機器で故障があると判断された場合には、店員に報知される。
【０２１６】
上記した本発明に係る遊技媒体排出機、遊技媒体排出方法および遊技媒体排出システムによれば、排出するパチンコ玉が所定数（２５玉）以上または所定数未満であるかを判定し、その判定に基づいて、パチンコ玉をパチンコ機２内から排出する場合と、台間機３、４に設けられたノズル３ｍ、４ｍから排出させる場合とに排出経路を切り替えることができる。例えば、ＣＲ機のパチンコ機２においては、所定数を排出するときはパチンコ機２から排出して順法し、所定数未満を排出する必要のある、例えば、消費税や再プレー手数料を引いたパチンコ玉はノズル３ｍから排出することができる。これによって、度数や貯玉数の最後の残数が、端数の場合であっても、その端数に相当するパチンコ玉をノズル３ｍから排出し、残数を０にすることができ、無駄にすることなく有効に度数を利用することができる。
【０２１７】
また、例えば、消費税や再プレー手数料に係る排出要求情報の種別を判定し、その判定に基づいて、パチンコ玉をパチンコ機２内から排出する場合と、台間機３、４に設けられたノズル３ｍ、４ｍから排出させる場合とに排出経路を切り替えることができる。例えば、ＣＲ機の場合において、通常の貸玉する場合には、パチンコ機２から排出して順法し、例えば消費税分や再プレー手数料分を減算して排出する場合などには、ノズル３ｍ、４ｍから排出することができる。
【０２１８】
さらに、任意の１回の排出に係る所定数で可能な場合にはその所定数から、任意の１回の排出に係る所定数で不可能な場合には複数回の排出に係る各所定数から、消費税に対応する遊技媒体数の減算、または獲得した遊技媒体を再び遊技に用いる再遊技に係る手数料に対応する遊技媒体数の減算を行うことができる。
【０２１９】
例えば、１００円分２５玉を５回排出する場合、従来の方式では、消費税率を例えば１０％としたときに、１回の排出で１００円２５玉中、２.５玉を減算し、２２.５玉を本来は排出すべきであるが、実際には自然数値分しか排出することはできないので、排出される遊技媒体数は、２２玉または２３玉となる。この場合、本来排出される数（２２.５玉）と０.５玉の誤差を生じる。そして、例えば、遊技ホール側が不利益となる２３玉を排出するように設定されている場合には、排出回数５回（５００円分）で、２.５玉の誤差を生じることとなる。しかしながら、本発明では、５００円１２５玉分の消費税分１２.５玉を減算した１１２玉または１１３玉を５回に分けて排出するので、生じる誤差は０.５玉となる。これによって、遊技ホールまたは遊技客の負担を極力減少することができる。そして、所定数から消費税分を減算した数（２５−１２.５で、１２玉または１３玉）を排出し、他の排出回には、所定数を排出するようにしてもよい。
【０２２０】
また、再プレー手数料分を減算する場合には、所定数を上回ることもあるので、その場合には、複数回にわったて、所定数から再プレー手数料分の一部を減算した数を排出することができる。例えば、再プレー手数料が３７.５％の場合、本発明においては、５回の排出分に相当する５００円１２５玉中、４６.８７５玉が手数料となり、残りの７８.１２５玉が排出すべき玉数となる。この場合、所定数の２５玉を３回排出し、残りの３玉をノズル３ｍ、４ｍから排出すると、誤差は０.１２５玉なり、誤差を極力小さくすることができる。
【０２２１】
また、台間機３にノズル３ｍ、４ｍを設け、例えば、所定数（２５玉）に満たない端玉を排出することができるので、例えば、所定数のみ排出可能なＣＲ機などにこの台間機３を備えることで、端玉分も無駄なく有効に利用することができる。
【０２２２】
また、管理装置１３などに接続されたパーソナルコンピュータ１７などによって、管理装置１３で集計した各種情報や各機器から管理装置１３に出力される情報を一覧表などで随時確認することができるので、各遊技機毎や遊技ホール全体としての売上状況、各会員の遊技者の利用状況、消費税徴収状況などを一括して把握することができる。
【０２２３】
ここでは、会員用ＩＣカード３０または非会員用ＩＣカード３１は、ＩＤだけを有し、その他の情報は管理装置１３において管理されるシステムを示したが、上記した実施の形態に何ら限定されるものではなく、構成、システムの制御等は本発明の技術的思想の範囲で拡張、変更することができる。
【０２２４】
そして、この拡張、変更した実施の形態も本発明の技術的範囲に含まれる。例えば、会員用ＩＣカード３０または非会員用ＩＣカード３１のそれ自身にも情報を記憶させておくこともできる。その場合には、会員用ＩＣカード３０または非会員用ＩＣカード３１の返却前に、会員用ＩＣカード３０または非会員用ＩＣカード３１に最新情報の書き込みが行われ、その後返却される。
【０２２５】
また、本発明の実施の形態では、会員用および非会員用にＩＣカードを用いた一例を示したが、会員用および非会員用のどちらか少なくとも１方にＩＣコインを用いることもできる。
【０２２６】
さらに、上記した一実施の形態では、遊技媒体としてパチンコ玉が使用された場合について説明したが、勿論、遊技媒体にメダルを使用した場合にも同様の作用効果を得ることができる。
【図面の簡単な説明】
【０２２７】
【図１】本発明の一実施の形態の遊技媒体排出システムの概要図。
【図２】会員用ＩＣカードおよび非会員用ＩＣカードの斜視図。
【図３】台間機（ユニット）の平面図。
【図４】台間機（サンド）の平面図。
【図５】台間機（台間メダル貸し機）の平面図。
【図６】台間機の表示部３ｅの一部拡大正面図。
【図７】台間機の内部構成図。
【図８】台間機の構成部を示す図。
【図９】台間機における動作の流れを示す図。
【図１０】台間機における動作の流れを示す図。
【図１１】台間機における動作の流れを示す図。
【図１２】台間機における動作の流れを示す図。
【図１３】管理装置の構成部を示す図。
【図１４】管理装置における動作の流れを示す図。
【図１５】会員用ＩＣカードが用いられた場合の情報管理一覧表の一例を示す図。
【図１６】非会員用ＩＣカードが用いられた場合の情報管理一覧表の一例を示す図。
【符号の説明】
【０２２８】
１…遊技媒体排出システム、２…パチンコ機、３，４，６…台間機、５…スロットマシーン、７…島コンピュータ、８…ネットワーク、９…計数機、１０…精算機、１１…景品管理機（ＰＯＳ）、１２…再プレー受付機、１３…管理装置、１４…プロトコルコンバータ、１５…モデム、１６…カードセンタ、１７…パーソナルコンピュータ、１８…景品払出機、１９…貯留機構付き紙幣識別装置、２０…発行機、２１…データ表示機、２２…データ公開機。
【図１】
2008029882.tif 000003
【図２】
2008029882.tif 000004
【図３】
2008029882.tif 000005
【図４】
2008029882.tif 000006
【図５】
2008029882.tif 000007
【図６】
2008029882.tif 000008
【図７】
2008029882.tif 000009
【図８】
2008029882.tif 000010
【図９】
2008029882.tif 000011
【図１０】
2008029882.tif 000012
【図１１】
2008029882.tif 000013
【図１２】
2008029882.tif 000014
【図１３】
2008029882.tif 000015
【図１４】
2008029882.tif 000016
【図１５】
2008029882.tif 000017
【図１６】
2008029882.tif 000018